(57)【特許請求の範囲】
【請求項１】
室内ユニットの前面枠と、電子部品が収納される電装品箱に設けられた端子台と、前記前面枠に形成された開口部を開閉する扉とを備え、不燃材を用いて形成された分割構造の電装カバーを設け、前記分割構造の電装カバーの一部は前記電装品箱に取り付けられ、前記分割構造の電装カバーのその他の部分は前記扉の裏側に前記扉と一体となるように取り付けられ、前記扉の開閉に連動して前記分割構造の電装カバーのその他の部分も同時に開閉され、前記扉を閉じた状態において、前記分割構造の電装カバーの一部と前記分割構造の電装カバーのその他の部分とで前記端子台を覆うようにし、前記扉を開けた状態において、前記分割構造の電装カバーのその他の部分は前記扉と共に開いた状態になり、前記端子台は開放された状態となることを特徴とする空気調和機。
【請求項２】
前記扉の裏側に引っ掛け爪を設け、かつ、前記分割構造の電装カバーのその他の部分に穴を設け、前記引っ掛け爪と前記穴とが係合することにより、前記分割構造の電装カバーのその他の部分が前記扉の裏側に取り付けられることを特徴とする請求項１に記載の空気調和機。
【発明の詳細な説明】
【技術分野】
【０００１】
本発明は、空気調和機の室内ユニットに関するものである。
【背景技術】
【０００２】
近年、製品の安全性、信頼性に対する要求が高まり、空気調和機においてもそのさらな
る向上が求められている。このため電子部品を収納する電装品箱に関して、従来から樹脂材料の難燃化や板金材料を用いた不燃化や安全装置の取り付けなど種々の対応が進んでいる。
【０００３】
従来、この種の空気調和機は、主に端子台と電子部品とが電装品箱に収納され、端子台は、据付時に室内ユニットと接続電線（渡り配線）とを接続する際の施工性に配慮して、前面側に露出して配置されている（例えば、特許文献１参照）。
【０００４】
特許文献１に記載の空気調和機においては、端子台と電子部品とが箱部などに収納されて構成される。端子台は前面側に露出して配置され、端子台に対して渡り配線が下方から接続されている。
【先行技術文献】
【特許文献】
【０００５】
【特許文献１】特開２００３−８３５６７号公報
【発明の概要】
【発明が解決しようとする課題】
【０００６】
しかしながら、上記従来の空気調和機における電装品箱の構成では、端子台の電線の接続作業が必要なため端子台が前面側に露出しており、端子台の接続不具合が発生した場合、安全性に欠けるという課題があった。
【０００７】
また、端子台を板金材料等の不燃材の電装カバーで覆うことは技術的には容易ではあるが、覆った場合、電線接続の際に覆う電装カバーの脱着作業が必要となって作業性が悪化するばかりでなく、電装カバーの取り付け忘れが生じる可能性もあるという課題を有していた。
【０００８】
本発明は、上記課題を解決するためになされたものであり、安全性を確保しながら端子台への電線挿入の作業を容易とする空気調和機を提供することを目的とする。
【課題を解決するための手段】
【０００９】
上記課題を解決するために、本発明の空気調和機は、室内ユニットの前面枠と、電子部品が収納される電装品箱に設けられた端子台と、前記前面枠に形成された開口部を開閉する扉とを備え、不燃材を用いて形成された分割構造の電装カバーを設け、前記分割構造の電装カバーの一部は前記電装品箱に取り付けられ、前記分割構造の電装カバーのその他の部分は前記扉の裏側に前記扉と一体となるように取り付けられ、前記扉の開閉に連動して前記分割構造の電装カバーのその他の部分も同時に開閉され、前記扉を閉じた状態において、前記分割構造の電装カバーの一部と前記分割構造の電装カバーのその他の部分とで前記端子台を覆うようにし、前記扉を開けた状態において、前記分割構造の電装カバーのその他の部分は前記扉と共に開いた状態になり、前記端子台は開放された状態となるものである。
【００１０】
これによって、端子台が不燃材で遮蔽されるので、端子台への電線の接続不具合が発生した場合でも端子台周辺の安全性が確保できる。また扉と電装カバーが一体となっているから扉の開閉に連動して電装カバーも同時に開閉されるため、電装カバーの脱着作業が容易となる。
【発明の効果】
【００１１】
本発明の空気調和機によれば、端子台周辺の安全性が確保できるとともに、電装カバーの脱着作業を容易とし、電線接続作業を効率的に行うことができる。また、電装カバーの
取り付け忘れを発生させることもない。
【図面の簡単な説明】
【００１２】
【図１】本発明の実施の形態１による空気調和機（室内ユニット）の要部の分解斜視図
【図２】同実施の形態の扉１７の裏面図
【図３】同実施の形態の端子台８周辺の縦断面図
【図４】同実施の形態の端子台８周辺の平面断面図
【図５】同実施の形態の扉１７を開いた状態での端子台８周辺の縦断面図
【発明を実施するための形態】
【００１３】
第１の発明は、室内ユニットの前面枠と、電子部品が収納される電装品箱に設けられた端子台と、前記前面枠に形成された開口部を開閉する扉とを備え、不燃材を用いて形成された分割構造の電装カバーを設け、前記分割構造の電装カバーの一部は前記電装品箱に取り付けられ、前記分割構造の電装カバーのその他の部分は前記扉の裏側に前記扉と一体となるように取り付けられ、前記扉の開閉に連動して前記分割構造の電装カバーのその他の部分も同時に開閉され、前記扉を閉じた状態において、前記分割構造の電装カバーの一部と前記分割構造の電装カバーのその他の部分とで前記端子台を覆うようにし、前記扉を開けた状態において、前記分割構造の電装カバーのその他の部分は前記扉と共に開いた状態になり、前記端子台は開放された状態となるものである。
【００１４】
これにより、端子台周辺の安全性が確保できる。また扉と分割構造の電装カバーのその他の部分が一体となっているので、扉の開閉と分割構造の電装カバーのその他の部分の開閉とを連動させることができ、分割構造の電装カバーのその他の部分の脱着作業が容易となる。
【００１５】
第２の発明は、第１の発明において、前記扉の裏側に引っ掛け爪を設け、かつ、前記分割構造の電装カバーのその他の部分に穴を設け、前記引っ掛け爪と前記穴とが係合することにより、前記分割構造の電装カバーのその他の部分が前記扉の裏側に取り付けられるものである。これにより、分割構造の電装カバーのその他の部分の扉への取り付けが簡単でしかも余分な部品も不要である。
【００１６】
以下、本発明の実施の形態について、図面を参照しながら説明する。なお、この実施の形態によって本発明が限定されるものではない。
【００１７】
（実施の形態１）
図１は、本発明の実施の形態１による空気調和機（室内ユニット）の要部の分解斜視図である。
【００１８】
図１に示されるように、電装品箱１は、熱交換器３およびドレンパン４に隣接する場所に設けられ、台枠２と前面枠５とで覆われている。その上部には、制御基板６と制御基板６を覆う板金材料からなる基板カバー７が設けられる。その中央部には端子台８が設けられ、端子台８はリード線９により制御基板６などと接続される。その下部には、接続電線１０をガイドしてその通路を形成するトンネル部１４が設けられ、その前面にはＬＥＤなどを装着した表示基板１５が設けられる。
【００１９】
この端子台８は、空気調和機の設置現場で室外ユニットから引き回される接続電線１０が接続される。端子台８の下方には、接続電線１０を固定する電線押さえ樹脂１１と電線固定ネジ１２とが設けられ、端子台８と電線押さえ樹脂１１の裏面側には板金材料からなる仕切り板１３が設けられる。
【００２０】
前面枠５には、前記の端子台８と電線押さえ樹脂１１の位置に対向して開口部１６が形成され、開口部１６には、扉１７が、開口部１６を閉塞して設けられている。扉１７の上端には左右一対のＣ形状の軸受け１８が設けられ、下端には、扉固定ネジ１９が貫通するネジ穴２０が設けられる。
【００２１】
図２は、扉１７の裏面図である。図２に示されるように、扉１７の裏面には箱形状のリブ２１が端子台８および電線押さえ樹脂１１を囲み、リブ２１の先端が電装品箱１と接する形で設けられる。リブ２１の内側には、複数の引っ掛け爪２２が形成され、リブの２１下端には、接続電線１０を貫通させるためのリブ切り欠き部２３が設けられる。
【００２２】
前面枠５の開口部１６の上部には左右一対の軸形状の支点２４が設けられ、下部にはボス部２５が設けられる。扉１７は、前面枠５の支点２４にその上部の軸受け１８が係合され、そしてネジ穴２０とボス部２５が接した状態で扉固定ネジ１９により固定される。
【００２３】
板金材料等の不燃材料からなる電装カバー２６は、板金を折り曲げて形成された箱状の形状を有しており、その下端には、接続電線１０が貫通するための電装カバー切り欠部２７が設けられ、その側面には、複数の角穴２８が設けられる。
【００２４】
この電装カバー２６は、前記扉１７の裏面に形成されたリブ２１の中にリブ２１に沿って挿入され、角穴２８が引っ掛け爪２２に係合して固定される。電装カバー２６の端面は、リブ２１の端面と同面か少し凹んで設けられる。
【００２５】
図３、図４は、それぞれ端子台８周辺の縦断面図と平面断面図である。図３、図４に示されるように、扉１７を閉じた状態のときは、電装カバー２６が扉１７のリブ２１とともに端子台８、電線押さえ樹脂１１の上下、左右を覆うことにより密閉する。
【００２６】
図５は、扉１７を開いた状態での端子台８周辺の縦断面図である。図５に示されるように、扉１７を開いた状態のときは、扉１７が前面枠５の支点２４を中心に回動するのに連動し、その内部に固定されている電装カバー２６は扉１７と共に移動し、端子台８および電線押さえ樹脂１１部分は開放された状態となる。据付工事は、このような扉１７の状態で前面枠５の開口部１６から手を挿入して接続電線１０を接続するのである。
【００２７】
すなわち、電装カバー２６を取り外す必要がなく端子台８などが露出するため接続電線１０の接続が容易にできるのである。
【００２８】
以上のように本実施の形態によれば、端子台８を不燃材の電装カバー２６で覆うとともに電装カバー２６を前面枠５の扉１７の裏面に装着することにより、端子台８の周辺に不燃材のバリアが形成され、端子台８への接続電線１０の接続不具合が発生した場合でも端子台８周辺の安全性を確保することができる。
【００２９】
また扉１７と電装カバー２６が一体となっているから、電装カバー２６の脱着作業が容易となり、電線接続作業を効率的に行うことができる。さらに、電装カバー２６の取り付け忘れを発生させることもない。
【００３０】
また、本実施の形態では、扉１７の裏面にリブ２１が端子台８を覆うように設けられ、その内側に電装カバー２６をリブ２１に沿って設けているから、電装カバー２６がリブ２１で補強されて取り付けが安定するとともに電装カバー２６の端面がリブ２１より突き出すことがない。
【００３１】
また、電装カバー２６は、その角穴２８が扉１７のリブ２１の引っ掛け爪２２に係合して固定されるため、取り付けが簡単でしかも余分な部品も不要である。
【００３２】
なお、本実施の形態においては電装カバー２６を一体として端子台８を覆った構成としたが、例えば一部を電装品箱１に残し、その他の部分を扉１７に設けるような分割構造としても、同じ効果が得られることは言うまでもない。
【産業上の利用可能性】
【００３３】
以上のように、本発明にかかる空気調和機の電装品箱は、空気調和機以外にも、設置現場での電線接続作業が必要な機器に適用が可能である。
【符号の説明】
【００３４】
１  電装品箱
５  前面枠
８  端子台
１６  開口部
１７  扉
２１  リブ
２４  支点
２６  電装カバー
【図１】
0005333562.tif 000002
【図２】
0005333562.tif 000003
【図３】
0005333562.tif 000004
【図４】
0005333562.tif 000005
【図５】
0005333562.tif 000006